(57)【特許請求の範囲】
【請求項１】
複数の情報単位によって構成される記録情報を管理制御する情報記録制御装置であって、
前記記録情報を構成するＩピクチャへのアクセス開始位置における再生可否を規定する再生可否情報を基に、前記記録情報の情報単位毎に行われる当該記録情報の移動記録を制御する制御手段を備えることを特徴とする情報記録制御装置。
【請求項２】
請求項１に記載の情報記録制御装置において、
前記再生可否情報は、前記情報単位毎に規定され、
前記制御手段は、前記情報単位の前記記録情報における位置と、前記Ｉピクチャへのアクセス開始位置とを対応付けて管理することを特徴とする情報記録制御装置。
【請求項３】
請求項１に記載の情報記録制御装置において、
第１の記録媒体に記録された前記記録情報を前記情報単位毎に取得し、当該記録情報を当該情報単位毎に第２の記録媒体に記録させる移動制御手段と、
前記第２の記録媒体に記録された当該記録情報の当該情報単位毎に、当該情報単位が前記第１の記録媒体から再生不可であることを示す情報を前記再生可否情報に設定する再生不可設定手段と、
を備えることを特徴とする情報記録制御装置。
【請求項４】
請求項３に記載の情報記録制御装置において、
前記第２の記録媒体に記録された前記記録情報の前記情報単位毎に、再生可であることを示す情報を設定して前記再生可否情報を生成する再生可否情報生成手段を備えることを特徴とする情報記録制御装置。
【請求項５】
請求項４に記載の情報記録制御装置において、
前記情報単位は、固定長または不定長のデータ長を有することを特徴とする情報記録制御装置。
【請求項６】
複数の情報単位によって構成される記録情報を管理制御し、前記記録情報を構成するＩピクチャへのアクセス開始位置における再生可否を規定する再生可否情報を基に、前記記録情報の情報単位毎に行われる当該記録情報の再生を制御する情報再生制御装置であって、
第１の記録媒体に記録された前記記録情報を再生する際に前記再生可否情報を参照し、前記情報単位毎に当該情報単位が前記第１の記録媒体から再生可能であるか否かを判別する判別手段と、
前記判別手段により前記再生可能であると判別された場合には、当該情報単位を取得、再生させる再生制御手段と、
を備えることを特徴とする情報再生制御装置。
【請求項７】
請求項６に記載の情報再生制御装置において、
前記情報単位は、固定長または不定長のデータ長を有することを特徴とする情報再生制御装置。
【請求項８】
複数の情報単位によって構成される記録情報が記録された記録情報領域と、前記記録情報を構成するＩピクチャへのアクセス開始位置における再生可否を規定する再生可否情報が記録された管理情報領域とを備えることを特徴とする情報記録媒体。
【請求項９】
請求項８に記載の情報記録媒体において、
前記情報単位は、固定長または不定長のデータ長を有することを特徴とする情報記録媒体。
【請求項１０】
複数の情報単位によって構成される記録情報を管理制御し、前記記録情報を構成するＩピクチャへのアクセス開始位置における再生可否を規定する再生可否情報を基に、前記記録情報の情報単位毎に行われる当該記録情報の移動記録を制御する情報記録制御方法であって、
第１の記録媒体に記録された前記記録情報を前記情報単位毎に取得し、当該記録情報を当該情報単位毎に第２の記録媒体に記録させる移動制御工程と、
前記第２の記録媒体に記録された当該記録情報の当該情報単位毎に、当該情報単位が前記第１の記録媒体から再生不可であることを示す情報を前記再生可否情報に設定する再生不可設定工程と、
を備えることを特徴とする情報記録制御方法。
【請求項１１】
複数の情報単位によって構成される記録情報を管理制御し、前記記録情報を構成するＩピクチャへのアクセス開始位置における再生可否を規定する再生可否情報を基に、前記記録情報の情報単位毎に行われる当該記録情報の再生を制御する情報再生制御方法であって、
第１の記録媒体に記録された前記記録情報を再生する際に前記再生可否情報を参照し、前記情報単位毎に当該情報単位が前記第１の記録媒体から再生可能であるか否かを判別する判別工程と、
前記判別手段により前記再生可能であると判別された場合には、当該情報単位を取得、再生させる再生制御工程と、
を備えることを特徴とする情報再生制御方法。
【請求項１２】
複数の情報単位によって構成される記録情報を管理制御し、前記記録情報を構成するＩピクチャへのアクセス開始位置における再生可否を規定する再生可否情報を基に、前記記録情報の情報単位毎に行われる当該記録情報の移動記録を制御する情報記録制御装置に含まれる記録コンピュータを、
第１の記録媒体に記録された前記記録情報を再生し、第２の記録媒体に記録させる移動制御手段、
前記第２の記録媒体に記録された当該記録情報の当該情報単位毎に、当該情報単位が前記第１の記録媒体から再生不可であることを示す情報を前記再生可否情報に設定する再生不可設定手段、
として機能させることを特徴とする情報記録制御用プログラム。
【請求項１３】
複数の情報単位によって構成される記録情報を管理制御し、前記記録情報を構成するＩピクチャへのアクセス開始位置における再生可否を規定する再生可否情報を基に、前記記録情報の情報単位毎に行われる当該記録情報の再生を制御する情報再生制御装置に含まれる再生コンピュータを、
第１の記録媒体に記録された前記記録情報を再生する際に前記再生可否情報を参照し、前記情報単位毎に当該情報単位が前記第１の記録媒体から再生可能であるか否かを判別する判別手段、
前記判別手段により前記再生可能であると判別された場合には、当該情報単位を取得、再生させる再生制御手段、
として機能させることを特徴とする情報再生制御用プログラム。
【発明の詳細な説明】
【技術分野】
【０００１】
本願は、情報単位により構成される記録情報を記録媒体間で移動記録させる情報記録制御装置及び情報記録制御方法、当該記録されている記録情報を再生する情報再生制御装置及び情報再生制御方法等の技術分野に関する。
【背景技術】
【０００２】
現在のデジタル放送において放送されるデジタル情報（例えば、映像情報、音声情報、文字情報等）には、非特許文献１に示されているように、複製（コピー）制限を示す情報が付加されている。従って、例えば、ある受信装置にて受信されたデジタル情報が、ある一の記録媒体に一度記録されると、その記録媒体から他の記録媒体への複製が不可能になる。このため、記録されたデジタル情報（以下、「記録情報」という）を他の記録媒体に記録したい場合、上記一の記録媒体から上記他の記録媒体に記録情報を複製するのではなく、移動記録（ムーブ）する必要がある。ここで、移動記録とは、一の記録媒体から他の記録媒体に記録情報が移動し、当該移動後には、当該記録情報が上記一の記録媒体から再生不可な状態となることを意味する。
【０００３】
【非特許文献１】
社団法人  地上デジタル放送推進協会「コピー制御について」インターネット＜ＵＲＬ：http://www.d-pa.org/copyctr/index.html＞
【発明の開示】
【発明が解決しようとする課題】
【０００４】
ところで、ＡＲＩＢ（社団法人  電波産業会(Association of Radio Industries and Businesses)）の規定によれば、上記移動記録においては、二つの記録媒体にそれぞれ１分以上再生可能な同一の記録情報が存在してはならないという条件を満たさなければならない。つまり、一方の記録媒体から他方の記録媒体に記録情報を移動させる際には、この条件を満たすように、一方の記録媒体から他方の記録媒体に記録情報を記録し、他方の記録媒体へ記録された記録情報を一方の記録媒体上の記録情報を再生不可能な状態にし、再生に制限をかける必要がある。ところが、これまではこのような記録情報の移動や、移動された記録情報の再生を管理制御する仕組みが存在せず、そのような仕組みの登場が要望されていた。
［０００５］
そこで、本願は、上記の各事情を考慮してなされたもので、その課題の一例は、より効率的に記録情報の移動記録を行い、また、より効率的に移動記録の管理を行うことが可能な情報記録制御装置及び情報記録制御方法、及び、当該移動記録により記録された記録情報を適切に再生することが可能な情報再生制御装置及び情報再生制御方法等を提供することにある。
【課題を解決するための手段】
［０００６］
上記の課題を解決するため、請求項１に記載の発明は、複数の情報単位によって構成される記録情報を管理制御する情報記録制御装置であって、前記記録情報を構成するＩピクチャへのアクセス開始位置における再生可否を規定する再生可否情報を基に、前記記録情報の情報単位毎に行われる当該記録情報の移動記録を制御する制御手段を備える。
［０００７］
上記の課題を解決するため、請求項６に記載の発明は、複数の情報単位によって構成される記録情報を管理制御し、前記記録情報を構成するＩピクチャへのアクセス開始位置における再生可否を規定する再生可否情報を基に、前記記録情報の情報単位毎に行われる当該記録情報の再生を制御する情報再生制御装置であって、第１の記録媒体に記録された前記記録情報を再生する際に前記再生可否情報を参照し、前記情報単位毎に当該情報単位が前記第１の記録媒体から再生可能であるか否かを判別する判別手段と、前記判別手段により前記再生可能であると判別された場合には、当該情報単位を取得、再生させる再生制御手段と、を備える。
【０００８】
上記の課題を解決するため、請求項８に記載の発明は、複数の情報単位によって構成される記録情報が記録された記録情報領域と、前記記録情報を構成するＩピクチャへのアクセス開始位置における再生可否を規定する再生可否情報が記録された管理情報領域とを備える。
［０００９］
上記の課題を解決するため、請求項１０に記載の発明は、複数の情報単位によって構成される記録情報を管理制御し、前記記録情報を構成するＩピクチャへのアクセス開始位置における再生可否を規定する再生可否情報を基に、前記記録情報の情報単位毎に行われる当該記録情報の移動記録を制御する情報記録制御方法であって、第１の記録媒体に記録された前記記録情報を前記情報単位毎に取得し、当該記録情報を当該情報単位毎に第２の記録媒体に記録させる移動制御工程と、前記第２の記録媒体に記録された当該記録情報の当該情報単位毎に、当該情報単位が前記第１の記録媒体から再生不可であることを示す情報を前記再生可否情報に設定する再生不可設定工程と、を備える。
［００１０］
上記の課題を解決するため、請求項１１に記載の発明は、複数の情報単位によって構成される記録情報を管理制御し、前記記録情報を構成するＩピクチャへのアクセス開始位置における再生可否を規定する再生可否情報を基に、前記記録情報の情報単位毎に行われる当該記録情報の再生を制御する情報再生制御方法であって、第１の記録媒体に記録された前記記録情報を再生する際に前記再生可否情報を参照し、前記情報単位毎に当該情報単位が前記第１の記録媒体から再生可能であるか否かを判別する判別工程と、前記判別手段により前記再生可能であると判別された場合には、当該情報単位を取得、再生させる再生制御工程と、を備える。
［００１１］
上記の課題を解決するため、請求項１２に記載の発明は、複数の情報単位によって構成される記録情報を管理制御し、前記記録情報を構成するＩピクチャへのアクセス開始位置における再生可否を規定する再生可否情報を基に、前記記録情報の情報単位毎に行われる当該記録情報の移動記録を制御する情報記録制御装置に含まれる記録コンピュータを、第１の記録媒体に記録された前記記録情報を再生し、第２の記録媒体に記録させる移動制御手段、前記第２の記録媒体に記録された当該記録情報の当該情報単位毎に、当該情報単位が前記第１の記録媒体から再生不可であることを示す情報を前記再生可否情報に設定する再生不可設定手段、として機能させることを特徴とする。
［００１２］
上記の課題を解決するため、請求項１３に記載の発明は、複数の情報単位によって構成される記録情報を管理制御し、前記記録情報を構成するＩピクチャへのアクセス開始位置における再生可否を規定する再生可否情報を基に、前記記録情報の情報単位毎に行われる当該記録情報の再生を制御する情報再生制御装置に含まれる再生コンピュータを、第１の記録媒体に記録された前記記録情報を再生する際に前記再生可否情報を参照し、前記情報単位毎に当該情報単位が前記第１の記録媒体から再生可能であるか否かを判別する判別手段、前記判別手段により前記再生可能であると判別された場合には、当該情報単位を取得、再生させる再生制御手段、として機能させることを特徴とする。
【図面の簡単な説明】
【００１３】
【図１】本実施形態の情報記録再生装置の構成を示すブロック図である。
【図２】本実施形態の情報記録再生装置の記録媒体に対する動作を示すフローチャートである。
【図３】本実施形態のストリーム及び管理テーブルを示す説明図である。
【図４】本実施形態の管理情報の変更動作における管理テーブル及びストリームを示す説明図である。
【図５】本実施形態の管理情報の変更動作における管理テーブル及びストリームを示す説明図である。
【図６】本実施形態の管理情報の変更動作における管理テーブル及びストリームを示す説明図である。
【図７】本実施形態の管理情報の変更動作における管理テーブル及びストリームを示す説明図である。
【図８】本実施形態の管理情報の変更動作における管理テーブル及びストリームを示す説明図である。
【図９】管理テーブルにおける管理情報の変形例を示す説明図である。
【図１０】管理テーブルにおける管理情報の他の変形例を示す説明図である。
【図１１】移動記録を途中で停止した場合の管理テーブル及びストリームを示す説明図である。
【図１２】移動記録を途中で停止した場合の管理テーブル及びストリームを示す説明図である。
【図１３】移動記録を途中で停止した場合の管理テーブルを示す説明図である。
【図１４】移動記録の途中で中止された場合のユーザインタフェースを示す説明図である。
【図１５】再生不可の場合のユーザインタフェースを示す説明図である。
【図１６】管理テーブルの変形例を示す説明図である。
【図１７】管理テーブルの変形例の動作を示す説明図である。
【図１８】管理テーブルの変形例の動作を示す説明図である。
【図１９】管理テーブルの変形例の動作を示す説明図である。
【符号の説明】
【００１４】
１    情報記録再生装置
２    ＣＰＵ
３    メモリ
５    表示部
Ａ    記録媒体
Ｂ    記録媒体
【発明を実施するための最良の形態】
【００１５】
以下、本願の実施形態について、図面を参照しながら説明する。
【００１６】
なお、以下に説明する実施形態は、ＢＳ(Broadcasting Satellite)デジタル放送に代表されるようなデジタル放送にて配信されるＡＶ(Audio Visual)情報をｉＶＤＲ(information Versatile Disc for Removable usage )等の情報記録媒体に記録することが可能とされ、かつ上記ＡＶ情報の再生処理が可能とされている情報記録再生装置に対して本願を適用した場合の実施形態である。
【００１７】
また、以下の説明において、上記ＡＶ情報は、動画像の圧縮技術に関する規格として周知のＭＰＥＧ２（Moving Picture Expert Group 2）規格におけるトランスポートストリーム規格に則って放送されてくるものとする。
【００１８】
さらに、以下の実施形態においては、記録媒体Ａに上記ＡＶ情報が記録されるｉＶＤＲを適用し、記録媒体Ｂにブルーレイディスク、Ｄ−ＶＨＳ又はＤＶＤ−ＲＷ（Digital Versatile Disc - Re-Recordable）等を適用した場合を示している。
【００１９】
（Ｉ）情報記録再生装置の構成
図１は本実施形態の情報記録再生装置の構成を示すブロック図であり、図２は本実施形態の情報記録再生装置の記録媒体Ａ，Ｂに対する動作を示すフローチャートである。
【００２０】
図１に示すように、情報記録再生装置１は、ＣＰＵ２とメモリ３を有しており、表示部５を備える。また、情報記録再生装置１には、第１の記録媒体である記録媒体Ａと第２の記録媒体である記録媒体Ｂが接続されている。なお、記録媒体Ａには、予め図示しないデジタル放送受信回路から入力されたＭＰＥＧ−ＴＳ（Transport Stream）（以下、ストリームＴＳとも言う。）が記録されていることとし、記録媒体Ａから記録媒体ＢへＭＰＥＧ−ＴＳを移動記録する場合を想定して説明する。本実施形態においては、このＭＰＥＧ−ＴＳが本願の記録情報を構成している。
【００２１】
この情報記録再生装置１は、記録媒体Ａから記録媒体Ｂへバイト数Ｎ単位に区切られた固定長の個々の情報単位を１つの処理単位として、ストリームＴＳの移動記録及び再生を制御する。
【００２２】
具体的には、ＣＰＵ２は、全ての構成要素をコントロールし、記録媒体Ａに記録されたストリームＴＳを再生し、記録媒体Ｂに移動記録させる本願の移動制御手段、記録媒体Ｂに移動記録されたストリームＴＳの情報単位毎に、個々の情報単位が記録媒体Ａから再生不可であることを示す再生可能フラグＦを変更設定する再生不可設定手段、移動記録されたストリームＴＳが記録媒体Ｂから再生可能であることを示す再生可能フラグＦを設定する再生可能設定手段、及び、記録媒体Ｂに移動記録されたストリームＴＳの情報単位毎に再生可能フラグＦを含む管理テーブルＴを生成する再生可否情報生成手段をそれぞれ構成する。
【００２３】
さらに、ＣＰＵ２は、記録媒体Ａに記録されたストリームＴＳの情報単位を再生する際に、個々の情報単位に対応する再生可能フラグＦを参照し、個々の情報単位が記録媒体Ａから再生可能であるか否かを判別する判別手段、再生可能であると判別された場合に、個々の情報単位を再生させる再生制御手段をそれぞれ構成する。
【００２４】
そして、表示部５は、後述するようにストリームＴＳの移動記録を途中で停止した場合や、移動記録されたストリームＴＳを再生不可である旨等を表示する。
【００２５】
１つのストリームＴＳは、図３に示すように、複数の情報単位によって構成され、１つの情報単位は複数のＴＳパケット（図示しない）によって構成される。本実施形態においては、ストリームＴＳはＸ個の情報単位によって構成されることとする。また、本実施形態における情報単位は、所定バイト数のＴＳパケットの整数倍（ｍ倍）のデータ長Ｎ（バイト）を有する。従って、図３に示すストリームＴＳのデータ長は、Ｎ×Ｘ（バイト）となる。
【００２６】
また、管理テーブルＴには、情報単位毎に、ストリームＴＳ内における各情報単位の配列の順序と（図３中、「番目」と示す項目）、その再生可否を規定する再生可否情報としての再生可能フラグＦと、ストリームＴＳの特徴を示す付随情報ＡＩとの各値が記録される。この付随情報ＡＩとしては、個々の情報単位の再生開始時刻が記録される。図３中、再生可能フラグＦの値が“１”であれば、その情報単位は再生可能であることを示し、値が“０”であれば、その情報単位は再生不可であることを示す。
【００２７】
この管理テーブルＴは、記録媒体にストリームＴＳを新規に記録する際にＣＰＵ２によって生成され、記録されたストリームＴＳの管理情報として、記録媒体上にその記録されたストリームＴＳに関連付けられてファイルとして記録される。なお、管理テーブルＴは、情報記録再生装置１のＣＰＵ２が対象となるストリームＴＳを操作しているときは、ＣＰＵ２によって記録媒体から読み込まれて情報記録再生装置１のメモリ３に記録され、参照される。また、管理テーブルＴは、情報記録再生装置１のＣＰＵ２が対象となるストリームＴＳを記録媒体に記録し終えた時に、その記録媒体へファイルとして記録される。
【００２８】
詳細については後述するが、例えば、記録媒体Ａから記録媒体Ｂへ新規にストリームＴＳを移動させる場合には、記録媒体Ａからその移動しようとするストリームＴＳに関連付けられた管理テーブルＴが読み込まれ、そのストリームＴＳが記録媒体Ｂに記録される際に、記録媒体Ｂに記録されるべき管理テーブルＴが新たに生成され、移動が終了した際に、記録媒体Ｂに記録される。仮に、一旦、記録媒体Ａから記録媒体Ｂへ途中までストリームＴＳを移動し、記録媒体Ａに記録されている残りのストリームＴＳを移動再開する場合には、記録媒体Ｂには既に管理テーブルＴが生成されているので、その記録媒体Ｂ上の管理テーブルＴが読み込まれ、続けて移動された分の情報単位に関する再生可能フラグＦ等が記録されることになる。
【００２９】
（ＩＩ）情報記録再生装置の動作
次に、情報記録再生装置１の移動記録動作の概要について、図２に示すフローチャートに基づいて説明する。以下、情報記録再生装置の動作の説明において、フローチャートに示されている処理に先立って、ＣＰＵ２によって記録媒体Ａおよび記録媒体Ｂから管理テーブルＴがメモリ３に記録されていることとする。
【００３０】
まず、情報記録再生装置１のＣＰＵ２は、記録媒体Ａに対して、指定された移動開始位置を示す位置Ｐ（バイト単位のアドレス情報）に該当するストリームＴＳ内の１つ情報単位の読込命令を実行すると（ステップＳ１）、記録媒体Ａは位置Ｐに該当する情報単位（データ）を情報記録再生装置１に出力する（ステップＳ２）。
【００３１】
次いで、情報記録再生装置１は、記録媒体Ｂに対して位置Ｐから情報単位の書込命令を実行し（ステップＳ３）、記録媒体Ａに対して位置ＰからＮバイトの書込命令、つまり位置ＰからＮバイトを消去する（１つの情報単位を意味の無いデータ列に置き換える処理や、１つの情報単位の一部だけを特定のデータ列に置き換える処理を含む）旨の動作を実行する（ステップＳ４）。
【００３２】
さらに、情報記録再生装置１は、記録媒体Ａに対して位置Ｐに該当する１つの情報単位が再生不可能状態となるように管理テーブルＴにおける再生可能フラグＦの値を変更する（ステップＳ５）。これらステップＳ１〜ステップＳ５までの一連の動作を繰り返して行うことで、ストリームＴＳ中の所望の情報単位が記録媒体Ａから記録媒体Ｂに移動記録される。
【００３３】
（ＩＩＩ）管理情報の変更動作
次に、図２に示すフローチャートと図３〜図８に従って管理テーブルＴにおける管理情報の変更動作を説明する。
【００３４】
まず、記録媒体Ａに対してストリームＴＳの位置Ｐから１つの情報単位の読込命令を実行するステップＳ１、およびステップＳ２においては、記録媒体Ａから読み込まれた管理テーブルＴ１の再生可能フラグＦの値には変更がなく図３の管理テーブルＴと同様の態様である。
【００３５】
また、情報記録再生装置１から記録媒体Ｂへ位置Ｐに該当する１つの情報単位（図５では１番目（先頭）の情報単位）を出力するステップＳ３においては、図４に示すように、メモリ３上において移動元のストリームＴＳ１に関連付けられた管理テーブルＴ１（移動開始の際に記録媒体Ａから読み込まれたもの）の他に、移動先のストリームＴＳ２に関連付けられる管理テーブルＴ２が用意され、記録媒体Ｂ上に、情報記録再生装置１から書込命令のあった情報単位を含むストリームＴＳ２が生成される。この時点では、管理テーブルＴ２の再生可能フラグＦの値は“１”となる。なお、記録媒体Ｂに対して新規にストリームＴＳ２を記録する場合には、管理テーブルＴ２が新規作成されてメモリ３上に用意され、記録媒体Ｂに対して既存のストリームＴＳ２に続いて移動記録を行う場合には、その既存のストリームＴＳ２が記録された際に、管理テーブルＴ２が記録媒体Ｂ上に記録されているので、その記録媒体Ｂ上の管理テーブルＴ２が読み込まれて、メモリ３上に用意される。
【００３６】
さらに、記録媒体Ａに対して位置ＰからＮバイトの書込命令、つまり位置ＰからＮバイトの消去する旨の動作を実行するステップＳ４においては、図５に示すように、ステップＳ２で読み込まれた移動元のストリームＴＳ１中の情報単位が消去される。移動元のストリームＴＳ１の情報単位が消去されるということは、当該情報単位に係るデータ自体が消去されることを意味する（その分、記録媒体Ａには空き領域が生じるようにしても良い）。なお、図５では、ストリームＴＳ中の１番目の情報単位から移動されているが、移動を開始する位置ＰはストリームＴＳの１番目からには限定されない。
【００３７】
そして、記録媒体Ａに対して位置Ｐに該当する情報単位を再生不可能状態となるように管理テーブルＴ１の再生可能フラグＦの値を変更するステップＳ５においては、図６に示すように移動元のストリームＴＳ１の管理テーブルＴ１における移動された情報単位の再生可能フラグＦの値が“１”から“０”に変更される。
【００３８】
ステップＳ１〜ステップＳ５の処理が繰り返し実行されることによって、図７に示すように、情報単位の移動順（図７では２番目の情報単位）に、管理テーブルＴ１と管理テーブルＴ２の各情報単位の再生可能フラグＦの値がそれぞれ変更、設定される。
【００３９】
なお、移動元のストリームＴＳ１に関連付けられた管理テーブルＴ１の再生可能フラグＦの値が“１”から“０”へ変更された後、移動元のストリームＴＳ１の情報単位を消去するようにしてもよい。要するに、最終的に移動元のストリームＴＳ１の情報単位を再生不可な状態となれば良い。
【００４０】
ステップＳ１〜ステップＳ５の処理がＸ回繰り返し実行されることによって、最終的には、図８に示すように、移動元のストリームＴＳ１のＸ番目までの情報単位が消去され、移動元のストリームＴＳ１の管理テーブルＴ１におけるＸ番目までの情報単位の再生可能フラグＦの値が“１”から“０”へ変更される。そして、１番目からＸ番目までの情報単位によって構成された移動先のストリームＴＳ２が生成され、移動先のストリームＴＳ２の管理テーブルＴ２は、再生可能フラグＦの値が“１”に設定され、記録媒体Ｂに記録される。
【００４１】
なお、この時点で移動元のストリームＴＳ１に関連付けられた管理テーブルＴ１の存在は無意味になるので、移動元のストリームＴＳ１全体が再生不可能な状態にされた際には、管理テーブルＴ１を削除しても良い。
【００４２】
また、管理テーブルＴ２に記録される各情報単位の順番（番目）は、管理テーブルＴ１における値をそのまま用いても良いし、新たに番号を振り直しても良い。新たに番号を振り直す場合において、例えば、一旦、記録媒体Ａから記録媒体Ｂへ途中までストリームＴＳを移動し、記録媒体Ａに記録されている残りのストリームＴＳを移動再開する際には、付随情報ＡＩの値を基に、個々の情報単位の再生されるべき順番を判定し、管理テーブルＴに記録されている順番を振り直す処理が発生する。
【００４３】
このように本実施形態の情報記録再生装置１は、移動記録時、記録媒体Ａに記録されたストリームＴＳを、情報単位を一移動単位として、記録媒体Ｂに記録させ、記録媒体Ｂに記録されたストリームＴＳの情報単位毎に、当該情報単位が記録媒体Ａから再生不可であることを示すように、再生可能フラグＦの値を“１”から“０”に変更するようにしている。
【００４４】
また、情報記録再生装置１は、移動記録時、記録媒体Ｂに記録された移動先のストリームＴＳ２の情報単位毎に、再生可能フラグＦを含む管理テーブルＴ２を生成し、当該情報単位が記録媒体Ｂから再生可能であることを示すように、再生可能フラグＦの値を“１”に設定するようにしている。
【００４５】
なお、情報記録再生装置１は、再生時、ストリームＴＳの１つの情報単位を再生する際に、その情報単位に対応する再生可能フラグＦの値を参照して、その情報単位が記録媒体から再生可能であるか否かを判別し、再生可能であると判別した場合には、当該情報単位の記録情報を再生する。
【００４６】
（ＩＶ）管理情報の変形例
次に、管理テーブルＴにおける管理情報の変形例について図９に従って説明する。
【００４７】
一般的に、記録媒体に記録されたストリームＴＳを再生するには、バイト単位のデータ管理がなされている。具体的には、ＭＰＥＧトランスポートストリームにおける１つのアクセス単位であるＧＯＰ（Group Of Picture）内のＩ（Intra-coded）ピクチャのピクチャスタートコードのストリーム中でのバイト単位のデータ位置が管理されるようになっており、これにより、ｎ番目のＩピクチャを再生するためのアクセス位置を検索し、そのデータ位置から再生を開始することによって、ユーザに対して所望の再生位置からの記録情報を提示することが可能となっている。
【００４８】
この変形例では、不定長の情報単位で構成されるストリームＴＳ３を移動記録する場合について説明する。この変形例では、図９に示すように、不定長のストリームＴＳ３に関連付けられるＩピクチャ位置管理テーブルＴ３には、Ｉピクチャを基準として構成される不定長の情報単位毎に、再生可能フラグＦと、ストリームＴＳの特徴を示す付随情報ＡＩと、ファイル先頭位置からのバイト数を管理するアクセス開始位置を示す情報ＳＩとが記録される。
【００４９】
図９では、一例として、１番目の情報単位のアクセス開始位置ＳＩを“０”、２番目の情報単位のアクセス開始位置ＳＩを“２Ｎ＋ｍ”、Ｙ番目の情報単位のアクセス開始位置ＳＩを“（Ｘ−２）Ｎ＋ｋ”としている。
【００５０】
このようなＩピクチャ位置管理テーブルＴ３は、ストリームＴＳ３の管理情報として記録媒体上にストリームＴＳ３に関連付けられてファイルとして記録される。なお、このＩピクチャ位置管理テーブルＴ３は、情報記録再生装置１のＣＰＵ２が対象となるストリームＴＳ３を操作しているときは、ＣＰＵ２によって記録媒体Ａから読み込まれて情報記録再生装置１のメモリ３に記録され、参照される。
【００５１】
（Ｖ）管理情報の変形例
また、管理テーブルにおける管理情報の他の変形例について図１０に従って説明する。
【００５２】
図１０は、ストリームＴＳ４を、図９に示す不定長の情報単位と、図３〜図８に示す固定長の情報単位とを複合させて管理する場合における情報単位の区切りの位置を示している。この場合は、不定長の情報単位と、固定長の情報単位のいずれか一方を基に再生可能フラグＦを持たせることにより、図３〜図８に示した動作が可能になる。
【００５３】
なお、図１０に示すように、Ｉピクチャ位置管理テーブルＴ３におけるアクセス開始位置ＳＩは、ブロック番号とバイト位置の情報から構成され、ブロック番号の値は、管理テーブルＴ１における情報単位の番号に対応し、バイト位置の値は、不定長の情報単位の先頭アドレスが固定長の情報単位の先頭アドレスから何バイトの距離に位置するかを示す。
【００５４】
例えば、Ｉピクチャ位置管理テーブルＴ３の２番目の不定長の情報単位のブロック番号“３”とバイト位置“ｍ”は、その不定長の情報単位の先頭アドレスが、固定長の情報単位に換算して３番目の先頭からｍバイト目に位置することを意味し、これは、図９に示すＩピクチャ位置管理テーブルＴ３におけるアクセス開始位置ＳＩの２番目の値“２Ｎ＋ｍ”に相当する。
【００５５】
（ＶＩ）移動記録の途中で停止した場合の動作
次に、移動記録を途中で停止した場合の動作を図１１乃至図１３に従って説明する。
【００５６】
図１１乃至図１３に示す例では、ユーザの任意のアクションとして移動記録を中止した状態について述べる。
【００５７】
例えば次のような状態のときに移動記録を中止する。すなわち、図１１に示すように、元ストリームＴＳ１の１番目、２番目の情報単位を消去した後、移動元のストリームＴＳ１の管理テーブルＴ１における１番目、２番目の情報単位に対する再生可能フラグＦの値をそれぞれ“１”から“０”とする。
【００５８】
このとき、管理テーブルＴ１上で再生可能フラグＦの値が“０”である部分についてもその旨を書き出すのは、ユーザがアクセスした時点であり、「現在無効なデータである」ことを明確に伝えるために使えることを想定しているからである。
【００５９】
また、情報記録再生装置１は、このような状態の管理テーブルＴ１を読み込むことにより、移動記録の途中であることの認識や、移動記録を再開するときの再開位置を認識することができるようになる。
【００６０】
一方、記録媒体Ｂには、図１３に示すように１番目及び２番目の情報単位のストリームＴＳ２が生成される。
【００６１】
（ＶＩＩ）ユーザインタフェース
次に、ユーザインタフェースについて図１４に従って説明する。
【００６２】
図１４に示すように、図１２及び図１３に示すような管理構造を備えて移動記録途中であることの認識や、その位置、移動記録再開をユーザに知らせるようなユーザインタフェースについて説明する。
【００６３】
上述したように移動記録の途中で中止された記録媒体ＡのストリームＴＳを再生すると、図１２に示すように移動記録された部分（再生不可部分）は再生されないため、１秒のオフセット時間を持って再生が開始される。
【００６４】
次に、タイムサーチで０秒目に位置する情報単位を再生するように指示する。その情報単位の再生可能フラグＦの値が“０”になっており、移動記録された情報単位を再生しようとしているため、図１５に示す表示部５に「指定された部分は、ムーブされています。再生できません。」と表示される。
【００６５】
このように移動記録された情報単位を再生しようとする場合、図１５に示す表示部５にその旨を表示するようにしたことにより、どの位置までのストリームＴＳを再生可能であるかを一段と確実かつ容易に認識することができる。
【００６６】
（ＶＩＩＩ）管理テーブルＴの変形例
この変形例においては、ＭＰＥＧ−ＴＳは、図１６に示すように、複数の情報単位によって構成され、１つの情報単位は複数のＴＳパケット（図示しない）によって構成される。本実施形態においては、ストリームＴＳはＸ個の情報単位によって構成されることとする。
【００６７】
また、管理テーブルＴ４は、情報単位毎に、少なくとも再生可否を規定する再生可否情報を示すことができる付随情報ＡＩの値が記録される。付随情報ＡＩはある特定の値であったときに再生不可能状態を示し、他の値であったときに再生可能状態を示す。例えば、再生可能な通常の状態においては、付随情報ＡＩには情報単位の時間データを示すための４バイトの値が記録され、その値が特定の値、具体的には１６進数ＦＦＦＦＦＦＦＦであった場合において、その情報単位が再生不可能状態であることを示す。
【００６８】
そして、ＣＰＵ２は、記録媒体Ｂに移動記録されたストリームＴＳの情報単位毎に、この変形例における管理テーブルＴ４を生成する再生可否情報生成手段をそれぞれ構成する。
【００６９】
（ＩＸ）情報記録再生装置の動作の変形例
次に、図２に示すフローチャートと図１６〜図１９に従って、この変形例における管理情報の変更動作を説明する。
【００７０】
図１６に示す管理テーブルＴ４を用いる場合、図２のステップＳ５において、情報記録再生装置１は、記録媒体Ａに対して位置ＰからＮバイト分が再生不可能状態となるように、移動元のストリームＴＳに関連付けられた管理テーブルＴ４の付随情報ＡＩの値を、再生不可能状態を示す所定の値、具体的には１６進数ＦＦＦＦＦＦＦＦに変更する。これら一連の動作を繰り返して所望のストリームＴＳが記録媒体Ａから記録媒体Ｂに移動記録されるまで実行する。
【００７１】
例えば、記録媒体Ａに対して１番目の情報単位を再生不可能状態となるようにする場合には、図１７に示すように移動元のストリームＴＳの管理テーブルＴ４における１番目の情報単位に対応する付随情報ＡＩの値が１６進数ＦＦＦＦＦＦＦＦに変更される。
【００７２】
さらに、図１８に示すように移動元のストリームＴＳにおける２番目の情報単位を消去した後、移動先のストリームＴＳに関連付けられた管理テーブルＴ５における２番目の情報単位に対する付随情報ＡＩの値には、その２番目の情報単位の時間データが記録される。そして、図１８に示すように、２番目以降、順次情報単位が記録されることによって移動先のストリームＴＳが生成され、順次管理テーブルＴ４と管理テーブルＴ５とが更新される。
【００７３】
最終的には、図１９に示すように、移動元のストリームＴＳのＸ番目までの情報単位が消去された後、移動先のストリームＴＳの管理テーブルＴ５におけるＸ番目までの情報単位の付随情報の値が記録される。そして、１番目からＸ番目までのＸ個の情報単位によって構成されるストリームＴＳが記録媒体Ｂ上に生成される。
【００７４】
以上説明したように、本実施形態の記録媒体Ａ又は記録媒体Ｂには、複数の情報単位により構成される記録情報（ストリームＴＳ）と、情報単位毎に記録情報を管理する管理情報が記録されている管理テーブルＴとが記録され、上記管理情報が情報単位の再生可否を示す再生可能フラグＦを含んでいるので、どの位置までストリームＴＳを移動記録したのかを確実かつ容易に認識することができる。従って、より効率的に記録情報の移動記録を行い、また、より効率的に移動記録の管理を行うことができる。
【００７５】
情報記録再生装置１は、移動記録時、記録媒体Ａに記録されたストリームＴＳを再生し、記録媒体Ｂに移動記録させ、記録媒体Ｂに移動記録されたストリームＴＳの情報単位毎に、当該情報単位が記録媒体Ａから再生不可であることを示すように再生可能フラグＦの値を変更することで設定するようにしているので、どの位置までストリームＴＳを移動記録したのかを確実かつ容易に認識することができる。従って、より効率的に移動記録の管理を行うことができる。
【００７６】
また、情報記録再生装置１は、移動記録時、記録媒体Ｂに移動記録されたストリームＴＳの情報単位毎に、当該情報単位が記録媒体Ｂから再生可能であることを示すように再生可能フラグＦの値を設定するようにしているので、どの位置までストリームＴＳを移動記録したのかを確実かつ容易に認識することができる。
【００７７】
さらに、情報記録再生装置１は、再生時、記録媒体Ａに記録されたストリームＴＳの情報単位を再生する際に当該情報単位に対応する再生可能フラグＦの値を参照し、情報単位が記録媒体Ａから再生可能であるか否かを判別し、再生可能であると判別された場合には、当該情報単位の記録情報を再生させるようにしているので、どの位置までのストリームＴＳを再生可能であるかを確実かつ容易に認識することができる。
【００７８】
なお、本願は上記実施形態に限定されることなく、種々の変更が可能である。
【００７９】
例えば、上記実施形態では、ＢＳデジタル放送等の電波を受信して映像信号等を取得するようにしたが、これ以外にアナログ地上波ＴＶ放送の電波や、インターネット又は専用回線を介したサーバＶＯＤ(Video On Demand)から映像信号等を取得するようにしてもよい。
【００８０】
また、上記実施形態では、記録媒体ＡにｉＶＤＲを適用し、記録媒体Ｂにブルーレイディスク、Ｄ−ＶＨＳ又はＤＶＤ−ＲＷを適用した場合について説明したが、これ以外にハードディスクやフラッシュメモリ等の各種記録媒体を使用することができる。
【００８１】
さらに、図２に示すフローチャートに対応するプログラムを、フレキシブルディスク又はＨＤ等の情報記録媒体に記録させておき、或いは当該プログラムをインターネット等のネットワークを介して取得した後に記録しておき、これらを汎用のマイクロコンピュータ等により読み出して実行することにより、当該マイクロコンピュータを実施形態に係るＣＰＵ２等として機能させることが可能である。
【図１】
0004318720.tif 000002
【図２】
0004318720.tif 000003
【図３】
0004318720.tif 000004
【図４】
0004318720.tif 000005
【図５】
0004318720.tif 000006
【図６】
0004318720.tif 000007
【図７】
0004318720.tif 000008
【図８】
0004318720.tif 000009
【図９】
0004318720.tif 000010
【図１０】
0004318720.tif 000011
【図１１】
0004318720.tif 000012
【図１２】
0004318720.tif 000013
【図１３】
0004318720.tif 000014
【図１４】
0004318720.tif 000015
【図１５】
0004318720.tif 000016
【図１６】
0004318720.tif 000017
【図１７】
0004318720.tif 000018
【図１８】
0004318720.tif 000019
【図１９】
0004318720.tif 000020